(57)【要約】【課題】組立てが容易で、かつ、組立て部材同士の結合強度が優れる箱型構造体を提供する。【解決手段】前後プレート（１、２）及び前記前後プレート（１，２）を所望の間隔を置いて対向立設させる結合部材（３）から成る簡易組立て式の箱構造体（Ａ）において、前記部材（１、２、３）の端部での結合を、１）先ず相互に嵌合結合させ、次いで結合部における前後プレート（１、２）と結合部材（３）の離脱を防止するために、前後プレート（１、２）と結合部材（３）にまたがる大きさの固定ネジ（４）の頭部（４２）でネジ止めするか、または、２）嵌合結合を嵌合応力を印加させ、部材の弾性変形・塑性変形を介して行う。【選択図】図１
2011139650.tif 000002
【特許請求の範囲】
【請求項１】
所望の間隔を置いて対向立設される所望肉厚の前プレート（１）と後プレート（２）、前記前後プレート（１、２）が対向立設されるときに前後プレート（１、２）により区画される左右両側、及び、上下両面の４面のうちの少なくとも左右両側の２面に配設され、前記前後プレート（１、２）を所望の間隔に立設固定するための結合部材（３）、とから成る簡易組立て式の箱型構造体において、
（１）：前記簡易組立て式の箱型構造体は、
（２）：前記前後プレート（１、２）と前記少なくとも左右両側に配設される結合部材（３）を、前記前後プレート（１、２）の端縁部の肉厚部において所望の間隔を置いて配設された少なくとも２つの結合用突起（１ａ、２ａ）と前記結合用突起（１ａ、２ａ）に嵌合する前記結合部材（３）の端部に配設された結合用穴部（３ａ）を介して嵌合結合されたものであって、かつ、
（３）：前記前後プレート（１、２）からの結合部材（３）の離脱を防止するために、前記結合用突起（１ａ、２ａ）と前記結合用穴部（３ａ）は、
（３）−１：第１段で、前記結合用突起（１ａ、２ａ）側に配設された固定ネジ（４）であって、かつ、前記結合用穴部（３ａ）を貫通させて前記結合用穴部（３ａ）を前記結合用突起（１ａ、２ａ）に対して偏芯配置させるために前記結合用突起（１ａ、２ａ）に対して偏芯させて配置した固定ネジ（４）であり、更に、第２段で、前記結合用突起（１ａ、２ａ）に対して偏芯配置された前記結合用穴部（３ａ）を移動させて前記結合用突起（１ａ、２ａ）に嵌合結合させた後、少なくとも前記結合用穴部（３ａ）の近傍部位の前記結合部材（３）の表面に及ぶ大きさの頭部を有する固定ネジ（４）により、前記結合用突起（１ａ、２ａ）と前記結合用穴部（３ａ）がネジ止めされたものであるか、または、
（３）−２：前記結合用突起（１ａ、２ａ）の外径に対して前記結合用穴部（３ａ）の内径が僅少である前記結合用穴部（３ａ）を前記結合用突起（１ａ、２ａ）にラップさせて嵌合結合され、嵌合結合時に前記結合用突起（１ａ、２ａ）と前記結合用穴部（３ａ）を弾性変形（塑性変形）させて前記結合用突起（１ａ、２ａ）と前記結合用穴部（３ａ）が嵌合結合されたものである、
ことを特徴とする簡易組立て式の箱型構造体。
【請求項２】
結合用突起（１ａ、２ａ）が、前後プレート（１、２）の端縁部の肉厚部に形成された収納凹部（１１、１２）の内部に突設されたものである請求項１に記載の簡易組立て式の箱構造体。
【請求項３】
結合部材（３）が、アーム状結合部材（３１）又はプレート状結合部材（３２）で構成されたものである請求項１に記載の簡易組立て式の箱構造体。
【請求項４】
アーム状結合部材（３１）が、アーム部に勘合する側面板を有するものである請求項３に記載の簡易組立て式の箱構造体。  
【請求項５】
結合部材（３）が、前後プレート（１、２）の間の間隔を調整する間隔調整機能付きアーム状結合部材（３１ａ）又は間隔調整機能付きアーム状結合部材（３２ａ）で構成されたものである請求項１に記載の簡易組立て式の箱構造体。  
【請求項６】
結合部材（３）が、２以上の簡易組立て式の箱型構造体を前後方向（垂直方向）及び／又は左右方向（水平方向）に拡張連結する構造のものである請求項１に記載の簡易組立て式の箱構造体。
【請求項７】
結合部材（３）が、２以上の簡易組立て式の箱型構造体を立体状（階段状、多段状）に拡張連結する構造のものである請求項１に記載の簡易組立て式の箱構造体。
【請求項８】
結合用穴部（３ａ）が、結合用穴部（３ａ）に対する嵌合結合時の過度の嵌合応力を緩和するスリットまたは微細な凹凸を有するもので構成されたものである請求項１に記載の簡易組立て式の箱構造体。
【請求項９】
結合用突起（１ａ、２ａ）が、に対する嵌合結合時の過度の嵌合応力を緩和するスリットまたは微細な凹凸を有するもので構成されたものである請求項１に記載の簡易組立て式の箱構造体。
【発明の詳細な説明】
【技術分野】
【０００１】
本発明は、多目的・多用途に使用し得る簡易組立て式の箱型構造体に関する。
更に詳しくは、本発明は、プレート状（平面状）の前プレートと後プレート、及び、前記前後プレートを所望の間隔を置いて立設固定するための結合部材を主要な構成部材とした簡易組立て式で、かつ、組立て後の前後プレートと結合部材（主要な構成部材）間の離脱防止性に優れた簡易組立て式の箱型構造体に関する。
【背景技術】
【０００２】
従来、例えば、花植物などを植生するためのプランターとして、合成樹脂製の一体成形により平面視図（平面図的にみた形状）が略矩形状の所望容積の箱体にされたものや各種形状の容器とされたものが市販されている。  
【０００３】
これらのうち、箱体とされたものにおいては、栽培しようとする花等の種類が多くなると複数個のプランターが必要になるが、従来の箱型プランターにおいては、前後方向（垂直方向）あるいは左右方向（水平方向）に外観性良く整然と拡張配置させることが困難である。
【０００４】
また、よく見かける事例であるが、門扉や塀の上部（頂部）に箱型あるいは円柱型などの各種形状のプランターを配置（載置）させている場合があるが、それらの安定性や外観性に難点がある。
更にまた、玄関先のアプローチや階段部分に種々雑多な形状のプランターを配設しているケースも多くみられるが、統一性に欠け、外観性にも劣る。
【０００５】
このほか、プランターを立体的に配置させて、例えば、階段状（多段状）にプランターを配置させて、立体的な花檀を製作しようとする場合、プランターを載置する木台（ベンチ）を必要としたり、プランター相互の連結性が悪いために安定配置が損なわれたり、更には箱型プランターの前面部（前側）の意匠性や意匠の多様化に限界があるため外観性に難点がある。
【発明の概要】
【発明が解決しようとする課題】
【０００６】
本発明は、第一義的には、簡便に、かつ、経済的に製作することができる各種の目的、用途に使用し得る簡易組立て式の箱型構造体を提供しようとするものである。  
【０００７】
また、第二義的には、前記「背景技術」の項で説明したように、プランターに見られる従来技術の欠点を解消し得ることができるプランターを挟持保持能に優れ、あるいはプランターそのものとしても使用することが出来るか簡易組立て式の箱型構造体を提供しようとするものである。
【０００８】
本発明者らは、例えば、前記したプランターに関する従来術の限界を克服すべく検討を加えた。
その結果、本発明者らは、
（１）．箱型構造体を、所望の間隔を置いて対向立設される前プレート（前面プレート）と後プレート（後面プレート）、及び、前記前後プレートを所望の間隔を置いて対向立設させる結合部材、から成る主要な構成部材により構成し、かつ、
（２）．これら前後プレートと結合部材の間の相互離脱を図った結合・固定方式を採用することにより、
前記従来のプランターにみられる限界・欠点を容易に解決できることを見い出した。
【０００９】
本発明は、前記した知見をベースにして創案されたものである。
なお、本発明の簡易組立て式の箱型構造体の用途としては、前記したプランターに限定されるものではなく、花檀作業用の用具や比較的容量の小さな一般用具などの収納ボックス（物置き）、再利用型梱包箱、空調・冷暖房機の室外機などの囲いタイプのボックス、などとしても使用されるものである。
【課題を解決するための手段】
【００１０】
本発明を概説すれば、本発明は、所望の間隔を置いて対向立設される所望肉厚の前プレート（１）と後プレート（２）、前記前後プレート（１、２）が対向立設されるときに前後プレート（１、２）により区画される左右両側、及び、上下両面の４面のうちの少なくとも左右両側の２面に配設され、前記前後プレート（１、２）を立設固定するための結合部材（３）、とから成る簡易組立て式の箱型構造体において、
（１）：前記簡易組立て式の箱型構造体は、
（２）：前記前後プレート（１、２）と前記少なくとも左右両側に配設される結合部材（３）を、前記前後プレート（１、２）の端縁部の肉厚部において所望の間隔を置いて配設された少なくとも２つの結合用突起（１ａ、２ａ）と前記結合用突起（１ａ、２ａ）に嵌合する前記結合部材（３）の端部に配設された結合用穴部（３ａ）を介して嵌合結合されたものであって、かつ、
（３）：前記前後プレート（１、２）からの結合部材（３）の離脱を防止するために、前記結合用突起（１ａ、２ａ）と前記結合用穴部（３ａ）の嵌合結合は、
（３）−１：結合用突起（１ａ、２ａ）側に配設された固定ネジ（４）であって、かつ、結合用突起（１ａ、２ａ）と結合用穴部（３ａ）の嵌合結合の後に、少なくとも前記結合用穴部（３ａ）の近傍部位の結合部材（３）の表面に及ぶ大きさの頭部を有する固定ネジ（４）により嵌合結合されたものであるか、または、
（３）−２：前記結合用突起（１ａ、２ａ）の外径に対して前記結合用穴部（３ａ）の内径が僅少である前記結合用穴部（３ａ）を介して嵌合結合し、嵌合結合時に前後プレート（１、２）と結合部材（３）を弾性変形（塑性変形）させて嵌合結合されたものである、
ことを特徴とする簡易組立て式の箱型構造体に関するものである。
【発明の効果】
【００１１】
本発明の簡易組立て式の箱型構造体は、種々の道具や用具の収納ボックス（物置き）、再利用型梱包箱、囲み壁（ボックスタイプの囲み）、載置台、あるいはプランターの挟持保持具、更には、プランターそれ自体などとして利用することが出来、汎用性に富んでいる。
また、本発明の簡易組立て式の箱型構造体は、主要な構成部材が前後プレートと前記前後プレートを所望の間隔を置いて対向立設させる結合部材とで構成され、かつ、両部材の相互の離脱防止を図った結合方式を採用しているため製作が容易で、経済的である。
【００１２】
本発明の簡易組立て式の箱型構造体は、結合部材の形状構造を変化させることにより、前後方向（垂直方向）及び／又は左右方向（水平方向）に容易に拡張連結したり、あるいは階段状（多段状）に容易に拡張連結することができ、外観性を向上させることが出来る。
例えば、花檀を作るとき、前者の拡張連結方式により面状に花檀を拡張でき、後者の拡張連結方式により花檀を立体的に構成することができ、更には幾つかの簡易組立て式の箱型構造体を花檀作り用の用具、肥料などの収納庫として利用することが出来る。
【００１３】
本発明の簡易組立て式の箱型構造体は、所望の部材、例えば、前プレートの表面の意匠性を工夫することにより、花檀の審美性、外観性を向上させることが出来る。
また、本発明の簡易組立て式の箱型構造体は、玄関先、アプローチなどにおいて配置されている種々雑多な形状のプランターに代わり、規格化され、かつ、外観特性に優れたプランター群（花檀）とすることが出来る。
【００１４】
本発明の簡易組立て式の箱型構造体は、例えば、市販の矩形状プランターを塀の頂部に載置させたい場合、当該プランターを挟持保持することが出来、かつ、塀とのラップ代（前後プレートの下部で塀を挟持する部位の大きさ）を十分に確保することが出来るため、プランターの落下防止を図りつつ、外観性を向上させることが出来る。
【図面の簡単な説明】
【００１５】
【図１】本発明の第１実施例の簡易組立て式の箱型構造体（Ａ）の主要な構成部材である前後プレート（１、２）と結合部材（３）の構成を説明する斜視図である。なお、図１には、前記結合部材（３）としてアーム状結合部材（３１）が示されている。
【図２】本発明の第１実施例の簡易組立て式の箱型構造体（Ａ）の斜視図である。
【図３】本発明の第１実施例の簡易組立て式の箱型構造体（Ａ）の前後プレート（１，２）の要部を拡大した斜視図であり、結合用突起（１ａ、２ａ）と固定ネジ（４）の関係を説明する図である。
【図４】本発明の第１実施例の簡易組立て式の箱型構造体（Ａ）の結合用突起（１ａ、２ａ）とアーム状結合部材（３１）が嵌合結合され、かつ、固定ネジ（４）により固定された状態の要部斜視図である。
【図５】図５（Ａ）、（Ｂ）、（Ｃ）は、本発明の第１実施例の簡易組立て式の箱型構造体（Ａ）の固定ネジ（４）によるアーム状結合部材（３１）の螺合固定（ネジ止め固定）を説明する図である。  図５（Ｄ）は、固定ネジ（４）による螺合固定の別の実施態様を説明する図であり、この場合、固定ネジ（４）の頭部（４２）は螺合固定後、前後プレート（１、２）の結合用突起（１ａ、２ａ）とアーム状結合部材（３１）の表面が面一（めんいち）になるように結合用突起（１ａ、２ａ）とアーム状結合部材（３１）は構成されている。
【図６】本発明の第２実施例の簡易組立て式の箱型構造体（Ａ）の斜視図である。
【図７】本発明の第３実施例の簡易組立て式の箱型構造体（Ａ）の斜視図であり、前記図２に対応する図である。
【図８】本発明の第４実施例の簡易組立て式の箱型構造体（Ａ）の斜視図であり、前記図６に対応する図である。
【図９】図９（Ａ）、（Ｂ）、（Ｃ）は、第３実施例（アーム状結合部材３１を使用している。）及び第４実施例（プレート状結合部材３２を使用している。）における結合用突起（１ａ、２ａ）の構成（図９（Ａ）参照）、結合用穴部（３ａ）の構成（図９（Ｂ）参照）、及び、アーム状結合部材（３１）の結合用穴部（３ａ）と結合用突起（１ａ）との嵌合結合の原理（結合時に前者が嵌合応力により弾性変形・塑性変形する）（図９（Ｃ）参照）を説明する図である。
【図１０】図１０（Ａ）、（Ｂ）は、アーム状結合部材（３１）の結合用穴部（３ａ）側における嵌合結合時の過度の応力を緩和するための構成を説明する図である。
【図１１】図１１（Ａ）、（Ｂ）は、前後プレート（１、２）の結合用突起（１ａ、２ａ）側における嵌合結合時の過度の応力を緩和するための構成を説明する図である。
【図１２】図１２（Ａ）、（Ｂ）は、前後プレート（１、２）の間隔を調整する機能を有するアーム状結合部材（３１ａ）の構成を説明する図であり、図１２（Ａ）は平面図、図１２（Ｂ）は斜視図である。
【図１３】前後プレート（１、２）の間隔を調整する機能を有するプレート状結合部材（３２ａ）の構成を説明する図である。
【図１４】図１４（Ａ）、（Ｂ）、（Ｃ）、（Ｄ）は、アーム状結合部材（３１）の変形例を説明する図であり、（Ａ）、（Ｂ）、（Ｃ）は平面図、（Ｄ）は斜視図である。
【図１５】図１５（Ａ）、（Ｂ）、（Ｃ）、（Ｄ）は、プレート状結合部材（３２）の変形例を説明する図であり、（Ａ）、（Ｂ）、（Ｃ）は平面図、（Ｄ）は斜視図である。
【図１６】図１６（Ａ）、（Ｂ）、（Ｃ）は、本発明の簡易組立て式の箱型構造体（Ａ）をプランターとして前後方向（垂直方向）または左右方向（水平方向）に平面状に拡張連結して使用する態様を説明する図である。
【図１７】図１７（Ａ）、（Ｂ）、（Ｃ）は、本発明の簡易組立て式の箱型構造体（Ａ）をプランターなどとして階段状（多段状）に立体的に拡張連結して使用する態様を説明する図である。
【発明を実施するための形態】
【００１６】
以下、本発明の簡易組立て式の箱型構造体の詳しい技術的構成を実施例に則して、かつ、図面を参照して具体的に説明する。
【００１７】
なお、本発明は、実施例及び参照図面に限定されないことはいうまでもないことである。
例えば、前後プレート（１、２）の結合用突起（１ａ、２ａ）と結合部材（３）の結合用穴部（３ａ）において、前記結合用突起（１ａ、２ａ）と結合用穴部（３ａ）の配設態様を逆にしてもよく、かつ、それに伴って他の構成を若干、変更しても良いものである。
また、前後プレート（１、２）の結合用突起（１ａ、２ａ）の配設個数を所望の個数に設定してもよいものである。
【実施例１】
【００１８】
図１〜図５は、本発明の第１実施例の簡易組立て式の箱型構造体（Ａ）を説明する図ある。
なお、図２は本発明の第１実施例の簡易組立て式の箱型構造体（Ａ）の全体斜視図であり、図１、図３〜５は構成部材や部材間の結合様式を説明する図である。  
【００１９】
図１は、本発明の簡易組立て式の箱構造体（Ａ）の主要な合成樹脂製の構成部材である前プレート（前面プレート）（１）、後プレート（後面プレート）（２）、及び、前記前後プレート（１、２）を所望の間隔を置いて対向立設させる結合部材（３）の構成を示している。
本発明において、前記結合部材（３）は、図示されるアーム状結合部材（３１）で構成されるか、あるいは後述するプレート状結合部材（３２）で構成される。
なお、図１において、対向立設された前後プレート（１、２）の右側面に配設される結合部材（３）は省略されている。  
【００２０】
図１及び図３に示されるように、前後プレート（１、２）は、その端縁部（図１の場合は、三つの端縁部）の肉厚部を利用して所望の間隔を置いて形成された凹部（１１、１２）を有するとともに、その凹部内に結合部材（３１）の結合用穴部（３ａ）と嵌合結合する結合用突起（１ａ、２ａ）を有するもので構成される。
なお、凹部（１１、１２）の大きさは、結合部材（３１）の端部を少なくとも収容することが出来る大きさのものである。
また、図３に示されるように、前後プレート（１、２）の結合用突起（１ａ、２ａ）は、
偏芯させた部位に（オス）ネジ溝を有する固定ネジ（４）を有するもので構成される。
本発明の簡易組立て式の箱構造体（Ａ）の製作において、前記前後プレート（１、２）の結合用突起（１ａ、２ａ）と前記結合部材（３１）の結合用穴部（３ａ）の嵌合結合により、前後プレート（１、２）を所望の間隔を置いて正確に対向立設させることが出来る。このため、製作が正確かつ効率的である。
【００２１】
前記偏芯させて配設した固定ネジ（４）の機能は、図４〜図５に示されている。
図４は、前後プレート（１、２）の結合用突起（１ａ、２ａ）にアーム状結合部材（３１）の端部の結合用穴部（３ａ）を嵌合結合させた後、固定ネジ（４）で螺合（ネジ止め）した状態の平面図である。
図５（Ａ）、（Ｂ）、（Ｃ）は、固定ネジ（４）による前記結合用突起（１ａ、２ａ）と結合用穴部（３ａ）の螺合（ネジ止め）状況を説明する図である。図示から明らかなように、固定ネジ（４）は結合用突起（１ａ、２ａ）に対して偏芯して配設されているため、ネジ止め時に固定ネジ（４）の頭部（４２）は、結合用穴部（３ａ）の近接部位（３ａｂ）に当接し、これにより前後プレート（１、２）からの結合部材（３１）の離脱を完全に防止することができる。
本発明において、前記固定ネジ（４）は、予め前後プレート（１、２）の結合用突起（１ａ、２ａ）に配設されていてもよく、あるいは、前後プレート（１、２）の結合用突起（１ａ、２ａ）と結合部材（３、３１、３２）の結合用穴部（３ａ）の組付け後に、前記前後プレート（１、２）の結合用突起（１ａ、２ａ）に配設されてもよいものである。
前者の場合、図５（Ａ）、（Ｂ）、（Ｃ）に示されているように、固定ネジ（４）は前後プレート（１、２）の結合用突起（１ａ、２ａ）に対して偏芯して配設されているため、結合部材（３、３１、３２）の端部を予め配設されている固定ネジ（４）の頭部（４２）に貫通させ、次いでスライドさせて前後プレート（１、２）の凹部（１１、１２）に収納させ、最後に固定ネジ（４）をネジ締付けして両部材（１、２、３）の離脱を防止することになる。従って、後者の場合と比較して、固定ネジ（４）によるネジ締付け作業を忘れることがなく、両部材（１、２、３）の離脱防止を完全に行うことが出来るというメリットがある。
【００２２】
なお、図５（Ｄ）は、固定ネジ（４）のネジ止め後に、その頭部（４２）が結合用突起（１ａ、２ａ）と結合部材（３１）の上面を面一（めんいち）にする態様のものであり、それぞれの部材（１、２、３１）の嵌合結合の部位での構成の変形例を示している。
【００２３】
図２に示される本発明の簡易組立て式の箱構造体（Ａ）は、例えば、市販のプランターを、前後プレート（１、２）の間で確実に挟持・保持することができるものであり、花檀の外観性を向上させることが出来る。
また、図２に示されるクリアランス（間隔）Ｘを調整することにより、例えば、塀の頂部に載置している転落・落下の危険性が極めて高いプランターを本発明の簡易組立て式の箱構造体（Ａ）に挟持保持させて、これを塀の頂部に安定的に配設することが出来る。
即ち、本発明の簡易組立て式の箱構造体（Ａ）は、前記間隔Ｘを所望に調整して前後プレート（１、２）と塀頂部での塀とのラップ代を十分にとることにより、市販のプランターを安全確実に塀頂部に載置することが出来る。
【００２４】
本発明の第１実施例の簡易組立て式の箱構造体（Ａ）において、前後プレート（１、２）、及び、アーム状結合部材（３１）は、例えば、合成樹脂の単独、あるいは、木屑、炭酸カルシュウム、再生プラスチックス、などの充填剤を高配合させたＰＥ、ＰＰ、ポリアミドなどの合成樹脂、更には、耐光性安定剤や防虫剤などの添加剤を配合した合成樹脂、などの合成樹脂材で構成すればよい。
また、これら部材（１、２、３１）は、例えば、合成樹脂材を使用した場合、典型的には射出成形で製造されるが、成形の加工精度との関係でその加工精度のブレを吸収する必要があるが、これに対応するために、例えば、前後プレート（１、２）を比較的硬質の合成樹脂で構成し、アーム状結合部材（３１）を比較的軟質の合成樹脂で構成すればよい。これにより、これら部材の嵌合結合を確実かつ容易に行うことが出来る。
なお、いうまでもないことであるが、本発明に係わる前記前後プレート（１、２）、及び、アーム状結合部材（３１）は、合成樹脂性のものに限定されず、他の材料で構成されてもよいものである。
また、これら材料を複合化したもの、例えば、合成樹脂製のプレート板の表面に金属板やセラミックス板などを貼り合わせたものなどであっても良い。
【実施例２】
【００２５】
図６は、本発明の第２実施例の簡易組立て式の箱構造体（Ａ）の斜視図である。
この第２実施例は、前記第１実施例のものと比較して、大きく異なる点は、
・所望の間隔を置いて対向立設される前後プレート（１、２）により区画される左右両側、及び、上下両面のうち１つの面（例えば、上面）に、プレート（平面）状結合部材（３２）を使用している点、
にあり、その他の技術的構成は前記実施例１と実質的に同じである。
この種のボックス・タイプの箱型構造体は、例えば、市販のプランターに代わるプランターとして使用することが出来、また、囲い壁や収納庫（物置き）などとしても有用である。
【実施例３】
【００２６】
図７は、本発明の第３実施例の簡易組立て式の箱構造体（Ａ）の斜視図である。
なお、図７は、前記実施例１に関する図２に対応する図である。
【実施例４】
【００２７】
図８は、本発明の第４実施例の簡易組立て式の箱構造体（Ａ）の斜視図である。
なお、図８は、前記実施例２に関する図６に対応する図である。
【００２８】
（１）．前記図７における本発明の第３実施例の簡易組立て式の箱構造体（Ａ）の具体的な技術的構成、及び、
（２）．前記図８における本発明の第４実施例の簡易組立て式の箱構造体（Ａ）の具体的な技術的構成、
は、採用する結合部材（３）がアーム状結合部材（図７の３１）であるか、またはプレート状結合部材（図８の３２，３２１）であるかの相違があるだけであり、その他は共通する技術的構成であるため、以下、共通する技術的構成をまとめて説明する。
【００２９】
（１）．前記図７〜図８に示される実施例３〜４に係わる簡易組立て式の箱構造体（Ａ）と、
（２）．前記図２〜図３に示される実施例１〜２に係わる簡易組立て式の箱構造体（Ａ）、
の間における技術的構成上の大きな相違点は、
・実施例１〜２においては、嵌合結合後の前後プレート（１、２）と結合部材（３、３１、３２）の離脱（抜け）防止を確実にするために、固定ネジ（４）を用いて行っているのに対して、
・実施例３〜４においては、以下に説明するように、前記固定ネジ（４）の使用に代えて、
前後プレート（１、２）と結合部材（３、３１、３２）の離脱（抜け）防止を、前後プレート（１、２）の結合用突起（１ａ、２ａ）と結合部材（３、３１、３２）の結合用穴部（３ａ）との弾性変形（塑性変形）を利用した嵌合圧着の方式を採用している点、にある。
以下、この点について、図面を参照して詳しく説明する。
【００３０】
図９（Ａ）、（Ｂ）、（Ｃ）は、第３実施例（図７に示されるようにアーム状結合部材３１を使用している。）及び第４実施例（図８に示されるようにプレート状結合部材３２，３２１を使用している。）における合成樹脂製の前後プレート（１、２）の結合用突起（１ａ、２ａ）の構成（図９（Ａ）参照）、合成樹脂製の結合部材（３１）に配設された結合用穴部（３ａ）の構成（図９（Ｂ）参照）、及び、前後プレート（１、２）の結合用突起（１ａ）とアーム状結合部材（３１）の結合用穴部（３ａ）との嵌合結合の原理（結合時に前者が嵌合応力により弾性変形・塑性変形する。）（図９（Ｃ）参照）をそれぞれ説明する図である。
【００３１】
図９（Ｃ）に示されるように、結合用突起（１ａ）と結合用穴部（３ａ）は、
・結合用突起（１ａ）の外径（ａ）と結合用穴部（３ａ）の内径（ｂ）の関係が、
・前者の外径（ａ）が後者の内径（ｂ）より若干、大きいという条件のもとで嵌合結合される。
これにより、合成樹脂製のアーム状結合部材（３１）は結合用穴部（３ａ）の周囲において嵌合応力（押圧力）により弾性変形（塑性変形）し、図示の矢印の方向に若干、拡径し、合成樹脂製の前後プレート（１、２）とアーム状結合部材（３１）は強固に結合する。
【００３２】
本発明において、前記のように嵌合応力により前後プレート（１、２）と結合部材（３）が強固に結合された後、補修や前後プレート（１、２）の間の間隔を調整するなどのために両部材の結合を解除したいケースが生じる。
このような場合には、図示しないが、結合用穴部（３ａ）の近接部位の結合部材（３）に離脱力を印加できる凹部などを形成し、ここに例えばマイナス（−）ネジ回しの先端の平坦部を挿入し、離脱力を印加できるようにすれば良い。
【００３３】
本発明の実施例３〜４において採用される合成樹脂性の前後プレート（１、２）と結合部材（３、３１、３２）の弾性変形（塑性変形）を介して嵌合結合する方式において、両部材の結合部に過度の応力印加は両部材の破損の観点から好ましいことではない。
このような過度の応力の緩和策の一例が図１０〜図１１に示されている。
【００３４】
図１０は、アーム状結合部材（３１）の側における応力の緩和手段を示している。
図１０（Ａ）は、アーム状結合部材（３１）の結合用穴部（３ａ）の周囲部に、所望数のスリット（Ｓ）を形成した結合部材（３１）の斜視図である。前記スリット（Ｓ）を介して、即ち、スリット（Ｓ）の変形により過度の応力集中が緩和される。
図１０（Ｂ）は、アーム状結合部材（３１）の結合用穴部（３ａ）の内周壁面に微細な凹凸を形成したアーム状結合部材（３１）の断面図である。前記微細な凹凸を介して、即ち、前記微細な凹凸の変形により過度の応力集中が緩和される。
【００３５】
図１１は、前後プレート（１、２）の側における応力の緩和手段を示している。
図１１（Ａ）は、前後プレート（１、２）の結合用突起（１ａ、２ａ）の外周壁面に所望の間隔を置いて垂直方向に所望数のスリット（Ｓ）を形成した結合用突起（１ａ、２ａ）の平面図である。前記スリット（Ｓ）を介して、即ち、スリット（Ｓ）の変形により過度の応力集中が緩和される。
図１１（Ｂ）は、前後プレート（１、２）の結合用突起（１ａ、２ａ）の外周壁面に微細な凹凸を形成した結合用突起（１ａ、２ａ）の断面図である。前記微細な凹凸を介して、即ち、前記微細な凹凸の変形により過度の応力集中が緩和される。
【００３６】
前記図面を参照して説明した実施例１〜４において、前後プレート（１、２）の結合用突起（１ａ、２ａ）、及び、これに対応する結合部材（３、３１、３２）の結合用穴部（３ａ）の形状は、平面視図が円形のものであった。
しかしながら、本発明において、前記結合用突起（１ａ、２ａ）、及び、これに対応する結合用穴部（３ａ）の形状（平面視図の形状）は、円形のものに限定されず、例えば、十字形、三角形、四角形、所望の間隔を置いて配置された複数個の矩形、など、所望の形状のものであってよいものである。
【００３７】
本発明において、前プレート（１）と後プレート（２）の間の間隔は、自在に調整できることが好ましい。
このような前後プレート（１、２）の間の間隔を自在に調整する技術的手段が図１２〜図１３に示されている。
【００３８】
図１２は、前後プレート（１、２）の間の間隔を調整する機能を有するアーム状結合部材（３１ａ）の構成を説明する図であり、図１２（Ａ）は平面図、図１２（Ｂ）は斜視図である。
図示されるように、間隔調整機能付きのアーム状結合部材（３１ａ）は、前記実施例１、３で使用したアーム状結合部材（３１）を２分割した２本のアームで構成される。
各アームは、一端部に結合用穴部（３ａ）、他端部に所望の間隔を置いて形成した複数個の結合用ピン穴（３ｂ）、を有するもので構成される。
そして、間隔調整機能付きのアーム状結合部材（３１ａ）は、各アームの結合用ピン穴（３ｂ）の部位をオーバラップさせ、結合用ピン穴（３ｂ）に結合用ピン（３ｃ）挿入して構成される。
各アームの結合用ピン穴（３ｂ）の選択により、前後プレート（１、２）の間の間隔は調整される。
【００３９】
図１３は、前後プレート（１、２）の間の間隔を調整する機能を有するプレート状結合部材（３２ａ）の構成を説明する斜視図である。
図示されるように、間隔調整機能付きのアーム状結合部材（３２ａ）は、前記実施例２、４で使用したプレート状結合部材（３２）を２分割した２本のアームで構成される。
各プレートの構成、及び、間隔調整機能付きのアーム状結合部材（３２ａ）による間隔調整法は、前記間隔調整機能付きのアーム状結合部材（３１ａ）と同様である。
【００４０】
本発明において、簡易組立て式の箱構造体（Ａ）を、例えば、花檀用として使用する場合、複数個の簡易組立て式の箱構造体（Ａ）を、前後方向（垂直方向）、左右方向（水平方向）、あるいは、階段状（多段状）に拡張的に容易に連結できることが好ましい。
本発明は、この様なニーズ（要請）に対して、結合部材（３）、即ち、アーム状結合部材（３１）またはプレート状結合部材（３２）の形状・構造を工夫することにより、極めて容易に対応することが出来る。
前記したニーズに答えるための結合部材（３、３１、３２）の構成が図１４〜図１５に示されている。
【００４１】
図１４は、本発明の簡易組立て式の箱構造体（Ａ）を、前後、左右、階段状（多段状）に拡張連結するときに使用されるアーム状結合部材（３１）の構成を示している。
図１４（Ａ）、（Ｂ）、（Ｃ）は平面図、図１４（Ｄ）は斜視図である。
図１４において、（Ａ）、（Ｂ）、（Ｃ）は、長さが相違するものであり、平面的拡張（前後、左右方向）に適したアーム状結合部材（３１）の構成を示している。また、図１４（Ｄ）は、立体的拡張、例えば、階段状（多段状）の拡張連結に適したアーム状結合部材（３１）の構成を示している。
例えば、本発明の簡易組立て式の箱構造体（Ａ）を用いて花檀を作る場合、高さが同じ簡易組立て式の箱構造体（Ａ）同士を平面的に拡張連結するときは前者が適しており、また、高さが同じであっても他が高い載置台の上にある場合や高さが違うもの同士を拡張連結する場合、後者が適している。
なお、これら拡張連結部には、小型の植木鉢などを載置することが出来るため花檀の審美性、外観性をより向上させることが出来る。
【００４２】
図１５は、本発明の簡易組立て式の箱構造体（Ａ）を、前後、左右、階段状（多段状）に拡張連結するときに使用されるプレート状結合部材（３２）の構成を示している。
図１５（Ａ）、（Ｂ）、（Ｃ）は平面図、図１５（Ｄ）は斜視図である。
図１５において、（Ａ）、（Ｂ）、（Ｃ）は、長さが相違するものであり、平面的拡張（前後、左右方向）に適したプレート状結合部材（３２）の構成を示している。また、図１５（Ｄ）は、立体的拡張、例えば、階段状（多段状）の拡張連結に適したプレート状結合部材（３２）の構成を示している。
例えば、本発明の簡易組立て式の箱構造体（Ａ）を用いて花檀を作る場合、高さが同じ簡易組立て式の箱構造体（Ａ）同士を平面的に拡張連結するときは前者が適しており、また、高さが同じであっても他が高い載置台の上にある場合や高さが違うもの同士を拡張連結する場合、後者が適している。
なお、これら拡張連結部には、小型の植木鉢などを載置することが出来るため花檀の審美性、外観性をより向上させることが出来る。
【００４３】
本発明の簡易組立て式の箱構造体（Ａ）は、前記した図１４〜図１５に示される種々の形状・構造のアーム状結合部材（３１）あるいはプレート状連結部材（３２）を用いて任意、自由に拡張連結される。
その際、結合部材（３１、３２）は、前後プレート（１、２）などに対して、実施例１〜２の固定ネジ（４）の方式により、あるいは、実施例３〜４の嵌合圧着の方式により、固定すればよい。
以下、本発明の簡易組立て式の箱構造体（Ａ）を花檀用プランター及び花檀作業用の用具の収納庫（物置き）として使用するケースであって、前後方向、左右方向、階段状（多段状）に拡張連結して使用するケースについて、図１６〜図１７を参照して説明する。
なお、図中、Ａは花檀用プランター、Ａ１は収納庫（物置き）、Ａ２は間仕切り、Ｒは道路、Ｒ１は道路（Ｒ）からのアプローチ、を意味する。
また、矢印は、拡張方向を示す。
更にまた、図中、３は結合部材を示し、この結合部材は、例えば、図１４〜図１５で説明した拡張連結を実現するアーム状結合部材（３１）あるいはプレート状連結部材（３２）の中から所望に選択すればよいものである。
【００４４】
図１６（Ａ）は、プランター（Ａ）を左右方向（水平方向）に拡張連結する態様を示し、図１６（Ａ）（１）は側面図、図１６（Ａ）（２）は斜視図である。
図１６（Ｂ）は、プランター（Ａ）を前後方向（垂直方向）に拡張連結する態様を示し、図１６（Ｂ）（１）は側面図、図１６（Ｂ）（２）は斜視図である。
図１６（Ｃ）は、道路（Ｒ）からのアプローチ（Ｒ１）において、その両サイドにプランター（Ａ）を拡張連結した状態を示す平面図である。
【００４５】
図１７（Ａ）、（Ｂ）、（Ｃ）は、プランター（Ａ）を階段状（多段状）に拡張連結する各種の態様を示すものであり、（Ａ）（１）〜（Ｃ）（１）は側面図、（Ａ）（２）〜（Ｃ）（２）正面図を示す。
【００４６】
前記した本発明の簡易組立て式の箱構造体（Ａ）を拡張連結して花檀などとして使用する態様において、以下のようにすることにより拡張連結体（花檀）の付加価値を更に向上させることが出来る。
前記したように、本発明の簡易組立て式の箱構造体（Ａ）は、プレート状（平板状）の前プレート（１）と後プレート（２）、及び、結合部材（３）の主要な構成部材により製作されるが、前プレート（１）の表面の意匠性を工夫することによって、例えば、レンガ調の模様を持つ化粧板を使用することにより花檀の審美性、外観性を向上させることが出来る。
【００４７】
更に、結合部材（３）として、左右両側にアーム状結合部材（３１）を使用したものにおいて、例えば、前記アーム状結合部材（３１）に嵌合固定する嵌合溝を有するプレート状化粧板を外装させることにより花檀の審美性、外観性を向上させることが出来る。
【産業上の利用可能性】
【００４８】
本発明の簡易組立て式の箱構造体（Ａ）は、その主要な構成部材が、前プレート（１）、後プレート（２）、及び、前記前後プレート（１、２）を所望の間隔を置いて対向立設させる結合部材（３）、で構成され、組立てが容易であり、かつ、前後プレート（１、２）と結合部材（３）との結合が安定しており両部材の離脱が効果的に防止される。
また、本発明の簡易組立て式の箱構造体（Ａ）は、その２個以上を前後方向（垂直方向）、左右方向（水平方向）、及び、階段状（多段状）に拡張連結させることが、結合部材（３）の形状構造を変えることにより極めて容易に行うことが出来る。
【００４９】
このため、本発明の簡易組立て式の箱構造体（Ａ）は、例えば、花檀の用途において、市販のプランターを確実かつ安定的に挟持保持して外観性を向上させることが出来、あるいは、プランターそれ自体としても利用することが出来、更に、所望の個数を任意に拡張連結させることにより花檀の規格化や多様な外観性を効率的に向上させることが出来る。
また、本発明の簡易組立て式の箱構造体（Ａ）は、前記した花壇用のプランターとしての用途に加え、花檀作業用の用具、花檀用肥料などはもとより比較的容量が小さい一般用具の収納庫（物置き）として、あるいは、再利用型の梱包箱、冷暖房機器の室外機などの囲み用ボックスなどとして有用である。
【符号の説明】
【００５０】
Ａ      ・・・・本発明の簡易組立て式の箱構造体
１      ・・・・前プレート
２      ・・・・後プレート
１１    ・・・・前プレート（１）に形成された結合部材（３）の端部の収納凹部
１２    ・・・・後プレート（２）に形成された結合部材（３）の端部の収納凹部
１ａ    ・・・・前プレート（１）の結合用突起
２ａ    ・・・・後プレート（２）の結合用突起
１ｂ    ・・・・前プレート（１）の結合用突起（１ａ）に配設されたネジ部
２ｂ    ・・・・後プレート（２）の結合用突起（２ａ）に配設されたネジ部
３      ・・・・結合部材
３１    ・・・・アーム状結合部材
３２，３２１    ・・・・プレート状結合部材
３ａ    ・・・・結合用穴部
３ａｂ  ・・・・結合用穴部（３ａ）の近傍部位
３１ａ  ・・・・間隔調整機能付きアーム状結合部材
３２ａ  ・・・・間隔調整機能付きプレート状結合部材
３ｂ    ・・・・結合用ピン穴
３ｃ    ・・・・結合用ピン
４      ・・・・固定ネジ
４１    ・・・・本体部
４２    ・・・・頭部
４３    ・・・・（オス）ネジ部
ａ      ・・・・結合用突起（１ａ、２ａ）の外径
ｂ      ・・・・結合用穴部（３ａ）の内径
Ｓ      ・・・・スリット
Ａ１    ・・・・収納庫（物置き）
Ａ２    ・・・・間仕切り
Ｒ      ・・・・道路
Ｒ１    ・・・・アプローチ
【図１】
2011139650.tif 000003
【図２】
2011139650.tif 000004
【図３】
2011139650.tif 000005
【図４】
2011139650.tif 000006
【図５】
2011139650.tif 000007
【図６】
2011139650.tif 000008
【図７】
2011139650.tif 000009
【図８】
2011139650.tif 000010
【図９】
2011139650.tif 000011
【図１０】
2011139650.tif 000012
【図１１】
2011139650.tif 000013
【図１２】
2011139650.tif 000014
【図１３】
2011139650.tif 000015
【図１４】
2011139650.tif 000016
【図１５】
2011139650.tif 000017
【図１６】
2011139650.tif 000018
【図１７】
2011139650.tif 000019